(57)【特許請求の範囲】
【請求項１】
設置箇所に取り付けられる長尺状の照明器具本体に対して着脱可能なＬＥＤ光源ユニットであって、
複数のＬＥＤが長手方向に沿って配された長尺状のＬＥＤ基板と、
前記ＬＥＤ基板を装着可能な下面部を有し、上面部が前記照明器具本体と対向した状態で該照明器具本体に取り付けられるよう構成された長尺状のユニット本体と、
前記複数のＬＥＤに電力を供給する電源装置と
を備え、
前記ユニット本体は、一方の長辺部側に、長手方向に沿って延び、該長手方向の一端部から他端部に亘って貫通する長尺状の中空空間を有し、
前記ユニット本体の少なくとも前記中空空間を形成する部位は、金属から形成されており、
前記電源装置は、前記中空空間に収容可能な長尺状に形成されており、
前記ユニット本体は、他方の長辺部と前記中空空間との間に上面側収容凹部が形成されている
ことを特徴とするＬＥＤ光源ユニット。
【請求項２】
前記ユニット本体は、押出成形によって成形された金属押出材である
ことを特徴とする請求項１に記載のＬＥＤ光源ユニット。
【請求項３】
前記ユニット本体は、アルミニウムを主成分とする材料から形成されている
ことを特徴とする請求項１又は２に記載のＬＥＤ光源ユニット。
【請求項４】
前記ユニット本体の前記下面部には、前記ＬＥＤ基板を収容可能な基板収容凹部と、前記基板収容凹部の開口端縁から突出するフランジ部とが形成され、
前記基板収容凹部と前記フランジ部とにより、ユニット本体の長手方向の一端部から前記基板収容凹部内に前記ＬＥＤ基板をスライドさせて挿入させることが可能な挿入溝が形成されている
ことを特徴とする請求項１〜３いずれか１項に記載のＬＥＤ光源ユニット。
【請求項５】
設置箇所に取り付け可能に構成された長尺状の照明器具本体と、
請求項１〜４のいずれか１項に記載のＬＥＤ光源ユニットと
を備えることを特徴とする照明器具。
【発明の詳細な説明】
【技術分野】
【０００１】
本発明は、ＬＥＤを光源とするＬＥＤ光源ユニット及び照明器具に関するものである。
【背景技術】
【０００２】
従来、直管形の蛍光ランプに代わるＬＥＤ照明器具として、吊ボルトによって天井材に取り付けられる長尺状の器具本体と、器具本体に対して着脱可能に構成された長尺状の光源ユニットとを備える照明器具が知られている（特許文献１）。
【０００３】
特許文献１に開示された光源ユニットは、複数のＬＥＤが実装されたＬＥＤ基板と、ＬＥＤ基板を器具本体に取り付けるための取付部材と、複数のＬＥＤに点灯電力を供給する電源装置とを有している。取付部材は、器具本体と対向する部位に、吊ボルトの少なくとも一部及び電源装置が配置される収容部を有しており、この収容部内における吊ボルトと干渉しない位置に、電源装置を配置するよう構成されている。このような特許文献１に開示された照明器具によれば、吊ボルトの少なくとも一部が取付部材の収容部内に配置され、かつ、この収容部内の吊ボルトと干渉しない位置に電源装置が配置されることにより、器具全体の高さ寸法を抑えることが可能である。
【先行技術文献】
【特許文献】
【０００４】
【特許文献１】特許第５４５３５０３号公報
【発明の概要】
【発明が解決しようとする課題】
【０００５】
しかしながら、特許文献１に開示された照明器具は、器具本体の長手方向に離間して配された一対の吊ボルトの間、すなわち、取付部材の収容部の長手方向の略中間部に電源装置を配置するものであるため、電源装置の熱が器具本体と取付部材との間に籠り易く、局所的に高温となるおそれがある。そして、特許文献１に開示された照明器具では、このような電源装置の熱の影響によりエネルギー効率が低下し、ＬＥＤの短寿命化を招くと共に、ＬＥＤ性能が不均一になるという問題がある。
【０００６】
本発明は、上述した従来技術の問題点に鑑みてなされたものであり、その目的は、エネルギーの高効率化、ＬＥＤの長寿命化及びＬＥＤ性能の均一化を図ることが可能なＬＥＤ光源ユニット及び照明装置を提供することにある。
【課題を解決するための手段】
【０００７】
上記の目的を達成するため、本発明に係るＬＥＤ光源ユニットは、設置箇所に取り付けられる長尺状の照明器具本体に対して着脱可能なＬＥＤ光源ユニットであって、複数のＬＥＤが長手方向に沿って配された長尺状のＬＥＤ基板と、前記ＬＥＤ基板を装着可能な下面部を有し、上面部が前記照明器具本体と対向した状態で該照明器具本体に取り付けられるよう構成された長尺状のユニット本体と、前記複数のＬＥＤに電力を供給する電源装置とを備え、前記ユニット本体は、一方の長辺部（長手方向に沿って延びる側縁部）側に、長手方向に沿って延びる長尺状の中空空間を有し、前記ユニット本体の少なくとも前記中空空間を形成する部位は、金属から形成されており、前記電源装置は、前記中空空間に収容可能な長尺状に形成されていることを特徴とする。
【０００８】
本発明に係るＬＥＤ光源ユニットにおいて、前記ユニット本体は、押出成形によって成形された金属押出材であることが好ましい。
【０００９】
また、本発明に係るＬＥＤ光源ユニットにおいて、前記ユニット本体は、アルミニウムを主成分とする材料から形成されることが好ましい。
【００１０】
さらに、本発明に係るＬＥＤ光源ユニットにおいて、前記ユニット本体の前記下面部には、前記ＬＥＤ基板を収容可能な基板収容凹部と、前記基板収容凹部の開口端縁から突出するフランジ部とが形成され、前記基板収容凹部と前記フランジ部とにより、ユニット本体の長手方向の一端部から前記基板収容凹部内に前記ＬＥＤ基板をスライドさせて挿入させることが可能な挿入溝が形成されることが好ましい。
【００１１】
また、本発明に係る照明器具は、設置箇所に取り付け可能に構成された長尺状の照明器具本体と、上述したＬＥＤ光源ユニットとを備えることを特徴とする。
【発明の効果】
【００１２】
本発明によれば、エネルギーの高効率化、ＬＥＤの長寿命化及びＬＥＤ性能の均一化を図ることが可能なＬＥＤ光源ユニット及び照明装置を提供することができる。
【図面の簡単な説明】
【００１３】
【図１】本発明の実施形態に係る照明器具の概略構成を示す斜視図である。
【図２】本実施形態に係る照明器具を分解して概略的に示す斜視図である。
【図３】本実施形態に係るＬＥＤ光源ユニットを分解して下方側から見た状態の概略構成を示す斜視図である。
【図４】図３に示す本実施形態に係るＬＥＤ光源ユニットを上方側から見た状態の概略構成を示す斜視図である。
【図５】図４のＡ−Ａ´線に沿った断面を拡大して概略的に示す拡大断面図である。
【図６】図６（ａ）は、本実施形態に係るＶ字状係止バネの概略構成を示す斜視図であり、図６（ｂ）は、本実施形態に係るＶ字状係止バネの概略構成を示す正面図であり、図６（ｃ）は、本実施形態に係るＶ字状係止バネの概略構成を示す平面図である。
【図７】本実施形態に係る電源装置の収容状況の一例を示す図である。
【発明を実施するための形態】
【００１４】
次に、本発明の実施形態に係る照明器具について、図面に基づいて説明する。なお、以下の説明では、設置箇所として天井を例に挙げて説明するが、これに限定されるものではなく、本発明に係る照明器具は、天井以外にも、例えば壁や手すり等の種々の設置箇所に取り付け可能である。また、以下の説明において、上方とは、設置箇所に向かう方向（本実施形態では、床から天井に向かう方向）をいい、下方とは、設置箇所から離れる方向（本実施形態では、天井から床に向かう方向）をいうものとする。
【００１５】
本実施形態に係る照明器具１は、図１及び図２に示すように、天井に取り付け可能に構成された長尺状の照明器具本体１０と、照明器具本体１０に対して着脱可能に構成されたＬＥＤ光源ユニット５０とを備えている。
【００１６】
照明器具本体１０は、図２に示すように、吊ボルト及びナット等の種々の固定手段（図示せず）によって天井（設置箇所）に固定されるベース部材２０と、取り付けネジ１２等の種々の締結手段によってベース部材２０に取り付けられる反射板部材３０と、反射板部材３０の長手方向の両端部を閉塞する端部キャップ４０とを備えている。
【００１７】
ベース部材２０は、長尺状の金属製板材に曲げ加工及び穴あけ加工等の板金加工を施すことにより形成されており、図２に示すように、概ね、長手方向に沿って延びる側縁部（以下、「長辺部」という）の双方が下方に向けて折り曲げられた形状を有している。ベース部材２０には、吊ボルト等の固定手段を貫通させるための孔を含む種々の貫通孔が形成されている。また、ベース部材２０の下面には、取り付けネジ１２が螺合可能な一対のネジ受け２２と、ＬＥＤ光源ユニット５０の後述するＶ字状係止バネ８０を係止させるための一対のバネ受け２４と、ＬＥＤ光源ユニット５０の受電コネクタ（図示せず）を介して電源装置９０に電力を供給するための給電コネクタ２６とが設けられている。ネジ受け２２は、ベース部材２０の長手方向の一端部近傍及び他端部近傍にそれぞれ１つずつ設けられており、取り付けネジ１２が螺合可能なネジ孔が形成されている。バネ受け２４は、ベース部材２０の長手方向の一端部近傍及び他端部近傍にそれぞれ１つずつ設けられており、ＬＥＤ光源ユニット５０のＶ字状係止バネ８０が係止可能な長孔と、該長孔内に対してＶ字状係止バネ８０を挿脱させるための切欠きとが形成されている。給電コネクタ２６は、施設の電力源と電気的に接続可能な配線付きのコネクタ部材であり、ベース部材２０の長手方向の中央部に設けられている。
【００１８】
反射板部材３０は、長尺状の金属製板材に曲げ加工及び穴あけ加工等の板金加工を施すことにより形成されており、図２に示すように、上面及び長手方向の両端部が開口する扁平かつ長尺な箱状に形成されている。反射板部材３０の下面には、ＬＥＤ光源ユニット５０を収容するための収容凹部３２が反射板部材３０の長手方向の全域に亘って形成されている。反射板部材３０の長辺部は、収容凹部３２の開口端縁から幅方向外側に向かって上方に傾斜しながら延出しており、ＬＥＤ光源ユニット５０から放出された光を下方に向けて反射するよう構成されている。反射板部材３０は、ベース部材２０の長手方向の長さと概ね同程度の長手方向の長さを有すると共に、ベース部材２０の幅方向（長手方向と直交かつ天井に対して平行な方向）の長さよりも長い幅方向の長さを有しており、取り付けネジ１２によってベース部材２０に取り付けられた際に、ベース部材２０を覆うように構成されている。収容凹部３２には、取り付けネジ１２のシャフト部を貫通させるためのネジ貫通孔３４と、ベース部材２０のバネ受け２４又はＬＥＤ光源ユニット５０のＶ字状係止バネ８０を貫通させるためのバネ貫通孔３６と、給電コネクタ２６を貫通させるためのコネクタ貫通孔３８とを含む種々の貫通孔が形成されている。
【００１９】
照明器具本体１０は、施設の電力源に給電コネクタ２６が電気的に接続された状態において、ベース部材２０が吊ボルト等の種々の固定手段によって天井に固定され、このベース部材２０に、収容凹部３２が下方に向けて開口するよう反射板部材３０が取り付けネジ１２によって取り付けられることにより、天井に取り付けられるよう構成されている。また、照明器具本体１０は、この状態において、収容凹部３２内にＬＥＤ光源ユニット５０を取付可能に構成されると共に、給電コネクタ２６がＬＥＤ光源ユニット５０の受電コネクタと電気的に接続されることにより、ＬＥＤ光源ユニット５０の電源装置９０に電力を供給可能に構成されている。
【００２０】
ＬＥＤ光源ユニット５０は、図３〜図５に示すように、複数のＬＥＤ６２が長手方向に沿って配された長尺状のＬＥＤ基板６０と、ＬＥＤ基板６０を装着可能に構成された長尺状のユニット本体７０と、ユニット本体７０を照明器具本体１０に対して取り付けるためのＶ字状係止バネ８０と、複数のＬＥＤ６２に電力を供給する電源装置９０と、複数のＬＥＤ６２を覆うようユニット本体７０に取り付けられる透光カバー５２と、ＬＥＤ光源ユニット５０の長手方向の両端部を閉塞するサイドカバー５４とを備えている。また、ＬＥＤ光源ユニット５０は、電源装置９０と照明器具本体１０の給電コネクタ２６とを電気的に接続するための受電コネクタ（図示せず）をさらに備えている。なお、図３及び図４では、ＬＥＤ光源ユニット５０の内部構造を示すために、ユニット本体７０に対して、電源装置９０、透光カバー５２及び端部キャップ５４の位置をずらして図示している。また、図５では、図を簡略化させるために、ＬＥＤ基板６０、ユニット本体７０、Ｖ字状係止バネ８０、Ｖ字状係止バネ８０の取り付け金具８１ａ、取り付け金具８１ａをユニット本体７０に固定するための固定ネジ８１ｂ、電源装置９０及び透光カバー５２以外の構成については、図示を省略している。
【００２１】
ユニット本体７０は、押出成形によって成形された長尺状の金属押出材であり、その全体が、熱伝導性に優れた金属、好ましくはアルミニウムを主成分とする金属材料、より好ましくはアルミニウムから形成されている。ユニット本体７０の表面には、白色レジスト印刷が施されており、光を反射可能に構成されている。ユニット本体７０は、図１〜図４に示すように、照明器具本体１０の収容凹部３２に収容可能な幅方向の長さ及び長手方向の長さを有する長尺かつ矩形のブロック状に形成されている。
【００２２】
ユニット本体７０は、図３及び図５に示すように、ＬＥＤ基板６０を装着可能な下面部７１を有している。具体的には、ユニット本体７０の下面部７１には、ＬＥＤ基板６０を収容可能な基板収容凹部７２ａと、基板収容凹部７２ａに収容されたＬＥＤ基板６０の落下を防止するフランジ部７２ｂとが、長手方向の全域に亘って、長手方向に沿って形成されている。また、ユニット本体７０の下面部７１には、基板収容凹部７２ａとフランジ部７２ｂとによって、ＬＥＤ基板６０を基板収容凹部７２ａ内に挿入するための挿入溝７３が形成されている。基板収容凹部７２ａは、ＬＥＤ基板６０を収容可能な幅方向の長さを有する凹部である。フランジ部７２ｂは、基板収容凹部７２ａの開口端縁から幅方向内側に向かって突出する突出縁であり、基板収容凹部７２ａに収容されたＬＥＤ基板６０の長辺部を支持可能に構成されている。このフランジ部７２ｂは、基板収容凹部７２ａの開口端縁の双方に、それぞれ形成されている。挿入溝７３は、基板収容凹部７２ａとフランジ部７２ｂとの間の溝状の空間であり、ユニット本体７０の長手方向の一端部から一対の挿入溝７３内にＬＥＤ基板６０を挿入し、この一対の挿入溝７３に沿ってＬＥＤ基板６０をスライドさせることにより、基板収容凹部７２ａ内にＬＥＤ基板６０を収容できるよう構成されている。
【００２３】
また、ユニット本体７０は、図３〜図５に示すように、一方側（図５中の右側）の長辺部に、長手方向に沿って延びる長尺状の中空空間（電源装置収容空間）７４を有しており、この中空空間７４内に電源装置９０を収容可能に構成されている。具体的には、ユニット本体７０には、図５に示すように、下面部７１の一方の長辺部及びその近傍の領域と、下面部７１の一方の長辺部から上方に向けて略垂直に延在する外壁部７４ａと、外壁部７４ａの上端縁部から幅方向内側に向けて略垂直に屈曲して延在する上壁部７４ｂと、上壁部７４ｂの先端縁部から下方に向けて多段的に屈曲して延在する内壁部７４ｃとによって、ユニット本体７０の長手方向の一端部から他端部に亘って貫通する中空空間７４が形成されている。内壁部７４ｃは、外壁部７４ａよりも短い延在方向の長さを有しており、その略中間部に、取り付け金具８１ａの先端部が係止可能な係止爪部７４ｄが形成されると共に、その下端縁部が後述する上面底部７５ｂに連続している。中空空間７４は、中空空間７４内に電源装置９０を収容させた際に、電源装置９０の後述する電源ケース部材９６が下面部７１、外壁部７４ａ、上壁部７４ｂ及び内壁部７４ｃの少なくとも１つと接触するか、又は、これら下面部７１、外壁部７４ａ、上壁部７４ｂ及び内壁部７４ｃの少なくとも１つと僅かな隙間をおいて近接するような大きさとなるよう形成されている。例えば、本実施形態に係るユニット本体７０において、中空空間７４は、ユニット本体７０全体の幅方向の長さに対して、概ね３分の１程度の幅方向の長さを有するよう構成されている。
【００２４】
さらに、ユニット本体７０は、図４及び図５に示すように、他方（図５中の左側）の長辺部と中空空間７４との間に、例えばＶ字状係止バネ８０等の部材を収容させるための上面側収容凹部７５が形成されている。具体的には、ユニット本体７０には、図５に示すように、他方（図５中の左側）の長辺部から上方に向けて略垂直に延在する側壁部７５ａと、中空空間７４の一部を構成する内壁部７４ｃと、側壁部７５ａの下端縁部と内壁部７４ｃの下端縁部とを繋ぐ上面底部７５ｂとによって、ユニット本体７０の長手方向の一端部から他端部に亘って上面側収容凹部７５が形成されている。側壁部７５ａは、中空空間７４の一部を構成する外壁部７４ａと略同じ延在方向の長さを有している。上面底部７５ｂは、図５に示すように、幅方向に離間して並行に立設された一対のネジ取付壁７６によって幅方向に分断されている。一対のネジ取付壁７６は、これらの間において、上面側収容凹部７５内に部材を取り付けるためのネジ（例えば固定ネジ８１ｂ等）を取付可能に構成されている。ユニット本体７０の上面側収容凹部７５には、例えば、図４に示すように、ユニット本体７０を照明器具本体１０に対して取り付けるためのＶ字状係止バネ８０、上面側収容凹部７５内の配線を固定するための配線固定具５６、及び、電源装置９０と照明器具本体１０の給電コネクタ２６とを電気的に接続するための受電コネクタ（図示せず）等の各種部材が収容されている。また、上面側収容凹部７５は、ＬＥＤ光源ユニット５０が照明器具本体１０に対して取り付けられた際に、例えば照明器具本体１０の給電コネクタ２６等が収容されるよう構成されている。
【００２５】
ＬＥＤ基板６０は、図３に示すように、ユニット本体７０の基板収容凹部７２ａに収容可能な幅方向の長さを有する、長尺かつ矩形状に形成されたプリント基板であり、ユニット本体７０の基板収容凹部７２ａの略全域に亘って収容されている。なお、ＬＥＤ基板６０は、ユニット本体７０の長手方向の長さと概ね同じ長手方向の長さを有する１枚のプリント基板からなるものとしても良いし、長手方向に分割された複数のプリント基板からなるものであるとしても良い。ＬＥＤ基板６０の下面には、長手方向の略全域に亘って長手方向に沿って整列された複数のＬＥＤ６２からなるＬＥＤ列が、並行に２列配されている。なお、ＬＥＤ基板６０の下面に設けられるＬＥＤ列は、１列であっても良いし、３列以上であっても良い。ＬＥＤ基板６０の長手方向の一端部側は、適宜の配線によって電源装置９０と電気的に接続されており、電源装置９０から供給される電力により、複数のＬＥＤ６２を適宜の点灯パターンで点灯させるよう構成されている。なお、ＬＥＤ基板６０が複数のプリント基板からなる場合には、隣接するプリント基板間が適宜の配線によって電気的に接続されている。
【００２６】
Ｖ字状係止バネ８０は、図６（ａ）〜図６（ｃ）に示すように、金属の線材に曲げ加工を施すことにより形成された略Ｖ字状のバネ部材である。具体的には、Ｖ字状係止バネ８０は、単コイル状に形成された中間部８１と、中間部８１の一端部及び他端部が上方かつ互いに異なる左右方向に向かって延伸することにより形成された左片部８２及び右片部８４とからなり、全体として、略Ｖ字状となるよう形成されている。
【００２７】
左片部８２及び右片部８４は、図６（ａ）〜図６（ｃ）に示すように、中間部８１から各先端部８２ｄ，８４ｄに至る部位が多段的に上方、左右方向及び前方（正面側）に屈曲して形成されており、これにより、中間部８１から各先端部８２ｄ，８４ｄに至る部位が直線的に形成される場合と比較して、左片部８２の先端部８２ｄと右片部８４の先端部８４ｄとの距離が広く、かつ、中間部８１から各先端部８２ｄ，８４ｄまでの高さが低くなるよう構成されている。具体的には、左片部８２は、中間部８１の一端部から上方かつ左方向に比較的急な角度で延伸する第１延伸部８２ａと、第１延伸部８２ａの上端部から前方（正面側）に傾斜しつつ第１延伸部８２ａよりも緩やかに上方かつ左方向に延伸する第２延伸部８２ｂと、第２延伸部８２ｂの上端部から、第２延伸部８２ｂよりも緩やかに前方（正面側）に傾斜しつつ左方向に延伸する第３延伸部８２ｃと、第３延伸部８２ｃの上端部から円弧を描くように折り曲げられた先端部８２ｄとから形成されている。また、右片部８４は、中間部８１の他端部から上方かつ右方向に比較的急な角度で延伸する第１延伸部８４ａと、第１延伸部８４ａの上端部から前方（正面側）に傾斜しつつ第１延伸部８４ａよりも緩やかに上方かつ右方向に延伸する第２延伸部８４ｂと、第２延伸部８４ｂの上端部から、第２延伸部８４ｂよりも緩やかに前方（正面側）に傾斜しつつ右方向に延伸する第３延伸部８４ｃと、第３延伸部８４ｃの上端部から円弧を描くように折り曲げられた先端部８４ｄとから形成されている。
【００２８】
Ｖ字状係止バネ８０は、左片部８２及び右片部８４の上端部８２ｄ，８４ｄが互いに離間し、全体として略Ｖ字状となる第１の状態（初期状態、復元状態）と、左片部８２及び右片部８４の上端部８２ｄ，８４ｄが互いに接近するよう外力が加えられることにより変形した第２の状態（変形状態）とに反復変形可能な弾性を有している。Ｖ字状係止バネ８０は、左片部８２及び右片部８４の上端部８２ｄ，８４ｄを互いに接近させた第２の状態（変形状態）において、バネ受け２４の切欠きを通過可能で、かつ、外力が排されることで略Ｖ字形状に復元した第１の状態（復元状態）において、バネ受け２４の長孔と係合し、通過が規制されるよう構成されている。
【００２９】
以上の構成を備えるＶ字状係止バネ８０は、図４に示すように、ユニット本体７０の上面側収容凹部７５の長手方向の一端部近傍及び他端部近傍にそれぞれ１つずつ取り付けられている。具体的には、各Ｖ字状係止バネ８０は、図５に示すように、固定ネジ８１ｂによりユニット本体７０の上面側収容凹部７５内に取り付けられた取り付け金具８１ａによって、左右片８２，８４の開き方向がユニット本体７０の長手方向と概ね平行となるよう、ユニット本体７０に取り付けられている。
【００３０】
電源装置９０は、照明器具本体１０の給電コネクタ２６及びＬＥＤ光源ユニット５０の受電コネクタ（図示せず）を介して施設の電力源から供給される電力により、ＬＥＤ基板６０に実装された複数のＬＥＤ６２を適宜の点灯パターンで点灯させるよう制御可能に構成されており、図３〜図５、図７及び図８に示すように、ユニット本体７０の中空空間７４に収容可能な長尺状に形成されている。
【００３１】
具体的には、電源装置９０は、図３及び図５に示すように、中空空間７４に収容可能な長尺かつ矩形状に形成された電源基板９２と、電源基板９２に実装された種々の電源回路形成部品９４と、電源基板９２及び電源回路形成部品９４を覆う電源ケース部材９６とを備えている。電源基板９２は、中空空間７４の幅方向の長さよりも短い幅方向の長さと、中空空間７４の長手方向の長さを超えない長手方向の長さとを有する長尺かつ矩形状のプリント基板である。電源回路形成部品９４は、複数のＬＥＤ６２の点灯電力を生成するために必要な種々の回路部品である。電源ケース部材９６は、中空空間７４内に密に挿入可能な径方向の長さと、電源基板９２の長手方向の長さと略同じ長手方向の長さとを有する長尺かつ略半円筒状に形成された金属製のカバー部材であり、電源回路形成部品９４が実装された電源基板９２の長手方向の端部を除く周囲を覆うよう構成されている。電源装置９０の長手方向の一端部側は、適宜の配線によってＬＥＤ基板６０と電気的に接続されている。
【００３２】
本実施形態に係る電源装置９０の長手方向の長さは、ＬＥＤ６２の種類及び数等に応じて、ユニット本体７０の中空空間７４の長手方向の長さを超えない範囲で、適宜調整することが可能である。例えば、本実施形態に係る電源装置９０は、図７に示すように、ユニット本体７０の中空空間７４の長手方向の長さよりも短い長手方向の長さを有するとしても良い。このように、電源装置９０の長手方向の長さが中空空間７４の長手方向の長さよりも短い場合には、図７に示すように、中空空間７４内の電源装置９０が配置されていない領域に、複数のＬＥＤ６２の調光を制御するための調光制御装置１００等の他の装置を収容することが可能である。この場合、調光制御装置１００は、電源装置９０と同様に、ユニット本体７０の中空空間７４に収容可能な長尺状に形成される。
【００３３】
透光カバー５２は、ポリカーボネートやアクリル等の透光性樹脂材料からなる乳白色の樹脂製カバー部材であり、図３及び図５に示すように、ユニット本体７０と対向する面（上面）が開口した長尺かつ略半円筒状に形成されている。透光カバー５２は、ユニット本体７０の長手方向の長さと略同じ長手方向の長さを有している。透光カバー５２の上端縁部（開口端縁部）には、それぞれ、その長手方向の略全域に亘って、透光カバー５２の幅方向内側に向かって突出する突出縁５２ａが形成されている。透光カバー５２は、図３及び図５に示すように、ユニット本体７０の側部の外壁部分にそれぞれ形成された溝部７０ａに突出縁５２ａをそれぞれ係止させることにより、ユニット本体７０に装着されるよう構成されている。
【００３４】
サイドカバー５４は、図３及び図４に示すように、ユニット本体７０の長手方向の一端部及び他端部にそれぞれネジ５５等によって取付け可能に構成された樹脂製のカバー部材である。サイドカバー５４は、図２〜図４に示すように、透光カバー５２が装着された状態のユニット本体７０に取り付けられることにより、これら透光カバー５２及びユニット本体７０の長手方向の開口端部を閉塞可能に構成されている。サイドカバー５４は、ユニット本体７０に取り付けられた際に、サイドカバー５４の内面とユニット本体７０の長手方向の端部との間に所定の隙間（配線経路）が形成されるような形状を有しており、該隙間を通って、電源装置９０とＬＥＤ基板６０とを繋ぐ配線がユニット本体７０の長手方向の端部を迂回できるよう構成されている。
【００３５】
以上のＬＥＤ光源ユニット５０を組み立てるためには、まず、一対のＶ字状係止バネ８０、受電コネクタ及び配線固定具５６等の部材を種々の取付手段によってユニット本体７０の上面側収容凹部７５内に取り付けると共に、ＬＥＤ基板６０、電源装置９０及び透光カバー５２をユニット本体７０に取り付ける。ＬＥＤ基板６０及び電源装置９０は、ユニット本体７０の長手方向の一端部から挿入溝７３及び中空空間７４内にそれぞれ挿入し、長手方向の他端部に向かう方向にスライドさせることにより取り付ける。透光カバー５２は、例えば、一方の突出縁５２ａをユニット本体７０の一方の溝部７０ａ内に挿入した状態で透光カバー５２を押し上げ、透光カバー５２の変形を利用して他方の突出縁５２ａをユニット本体７０の他方の溝部７０ａ内に挿入することにより、ユニット本体７０に取り付ける。なお、透光カバー５２は、ＬＥＤ基板６０及び電源装置９０と同様に、スライドさせることにより取り付けることも可能である。その後、ユニット本体７０及び透光カバー５２の長手方向の両端部の開口部が閉塞されるよう、ユニット本体７０及び透光カバー５２の長手方向の両端部にサイドカバー５４をそれぞれ取付ける。以上の手順により、本実施形態に係るＬＥＤ光源ユニット５０を組み立てることができる。
【００３６】
次に、照明器具本体１０にＬＥＤ光源ユニット５０を取り付ける方法について、説明する。まず、作業者は、一方の手によってＬＥＤ光源ユニット５０の一方のＶ字状係止バネ８０を既述の第２の状態（変形状態）に変形させた状態で、照明器具本体１０の一方のバネ受け２４の切欠きを介して長孔内に挿入し、その後、Ｖ字状係止バネ８０から手を離すことで、Ｖ字状係止バネ８０の中途部をバネ受け２４の長孔に係止させる。この際、Ｖ字状係止バネ８０は、第１の状態（復元状態）には完全には復元していない。また、同様の方法により、ＬＥＤ光源ユニット５０の他方のＶ字状係止バネ８０の中途部を他方のバネ受け２４の長孔に係止させる。これにより、照明器具本体１０とＬＥＤ光源ユニット５０との間に所定の隙間が形成された状態で、照明器具本体１０にＬＥＤ光源ユニット５０が仮装着される。次に、照明器具本体１０とＬＥＤ光源ユニット５０との間の隙間を利用して、照明器具本体１０の給電コネクタ２６と、ＬＥＤ光源ユニット５０の受電コネクタとを接続させる。その後、ＬＥＤ光源ユニット５０を照明器具本体１０に向かう方向（上方）に押し上げる。これにより、各バネ受け２４の長孔内において各Ｖ字状係止バネ８０がそれぞれ第１の状態（復元状態）に復元し、各長孔と係合することで、ＬＥＤ光源ユニット５０が照明器具本体１０に対して略隙間なく取り付けられる。なお、ＬＥＤ光源ユニット５０の取り外し方法は、上記取り付け手順と逆の手順により行うことができるため、説明を省略する。
【００３７】
以上のとおり、本実施形態に係る照明器具１及びＬＥＤ光源ユニット５０は、複数のＬＥＤ６２が長手方向に沿って配された長尺状のＬＥＤ基板６０と、ＬＥＤ基板６０を装着可能な下面部７１を有し、上面部が照明器具本体１０と対向した状態で照明器具本体１０に取り付けられるよう構成された長尺状のユニット本体７０と、複数のＬＥＤ６２に電力を供給する電源装置９０とを備え、ユニット本体７０は、一方の長辺部側に、長手方向に沿って延びる長尺状の中空空間７４を有し、ユニット本体７０の少なくとも中空空間７４を形成する部位は、金属から形成されており、電源装置９０は、中空空間７４に収容可能な長尺状に形成されている。
【００３８】
このような照明器具１及びＬＥＤ光源ユニット５０によれば、電源装置９０が長尺状に形成されると共に、電源装置９０が収容される中空空間７４が金属から形成されることにより、電源装置９０からの熱を広範囲に亘って分散させることができ、放熱性を向上させることができるため、エネルギーの高効率化、ＬＥＤの長寿命化及びＬＥＤ性能の均一化を図ることが可能である。また、本実施形態に係る照明器具１及びＬＥＤ光源ユニット５０によれば、電源装置９０を収容する中空空間７４がユニット本体７０の一方の長辺部側に形成されることにより、ユニット本体７０の幅方向の長さを抑えつつ、ユニット本体７０の上面部に取り付けられる各種構成部品（例えば、配線固定具５６、Ｖ字状係止バネ８０、取り付け金具８１ａ、固定ネジ８１ｂ及び受電コネクタ等）や、照明器具本体１０側から突出するおそれがある各種部材との干渉を避けることができるため、照明器具１全体を薄型化することができる。さらに、本実施形態に係る照明器具１及びＬＥＤ光源ユニット５０によれば、中空空間７４内における電源装置９０の長手方向の配置が自由となるため、電源長を大きくし、高さを抑えた電源基板設計が可能となり、これにより、照明器具１全体をより一層薄型化することができる。
【００３９】
また、本実施形態に係る照明器具１及びＬＥＤ光源ユニット５０は、ユニット本体７０が押出成形によって成形された金属押出材である。このような照明器具１及びＬＥＤ光源ユニット５０によれば、複雑な加工や複数の金属製板材を要することなく、中空空間７４や挿入溝７３等の構造を有するユニット本体７０を形成することができるため、部品数を削減することができる。また、押出成形によって成形されたユニット本体７０は、その一端部から他端部に亘って貫通するよう中空空間７４が形成されるため、様々な電源長（長手方向の長さ）を有する種々の電源装置９０に対応することができる。
【００４０】
さらに、本実施形態に係る照明器具１及びＬＥＤ光源ユニット５０は、ユニット本体７０がアルミニウムを主成分とする材料から形成されている。このような照明器具１及びＬＥＤ光源ユニット５０によれば、ユニット本体７０が例えばステンレスや鉄等の金属から形成される場合と比較して、より一層優れた放熱性を発揮することができると共に、ユニット本体７０の軽量化を図ることができる。
【００４１】
またさらに、本実施形態に係る照明器具１及びＬＥＤ光源ユニット５０は、ユニット本体７０の下面部７１に、ＬＥＤ基板６０を収容可能な基板収容凹部７２ａと、基板収容凹部７２ａの開口端縁から突出するフランジ部７２ｂとが形成され、基板収容凹部７２ａとフランジ部７２ｂとにより、ユニット本体７０の長手方向の一端部から基板収容凹部７２ａ内にＬＥＤ基板６０をスライドさせて挿入させることが可能な挿入溝７３が形成されている。このような照明器具１及びＬＥＤ光源ユニット５０によれば、ＬＥＤ基板６０をユニット本体７０に取り付けるための取り付けネジ等を用いることなく、挿入溝７３にＬＥＤ基板６０を挿入してスライドさせるだけでユニット本体７０にＬＥＤ基板６０を装着させることができるため、ＬＥＤ光源ユニット５０の組み立てを容易化することができる。また、挿入溝７３が形成されたユニット本体７０によれば、例えば特許文献１に開示された光源ユニットの取付部材のような、底面部の一部を切り起こすことで形成された係止爪によってＬＥＤ基板を支持するものと比較して、ユニット本体７０の構造を簡易化することができると共に、放熱性を向上させることができる。
【００４２】
また、本実施形態に係るＬＥＤ光源ユニット５０は、Ｖ字状係止バネ８０によって照明器具本体１０に取り付けられるものであるため、工具等を用いることなく容易に取り付けることが可能である。特に、本実施形態に係るＶ字状係止バネ８０は、中間部８１から各先端部８２ｄ，８４ｄに至る部位が多段的に上方、左右方向及び前方（正面側）に屈曲して形成されることにより、中間部８１から各先端部８２ｄ，８４ｄに至る部位が直線的に形成される場合と比較して、左片部８２及び右片部８４の開き距離（左片部８２の先端部８２ｄと右片部８４の先端部８４ｄとの距離）を広くすることができると共に、Ｖ字状係止バネ８０の高さを抑えることができるため、バネ受け２４からの抜け落ちを確実に防止することができると共に、照明器具１全体をより一層薄型化することができる。
【００４３】
本発明に係る照明器具及びＬＥＤ光源ユニットは、上述した実施形態に限定されるものではなく、本発明の技術思想を逸脱しない範囲内において種々の改変を行なうことができる。
【００４４】
例えば、上述した実施形態では、ユニット本体７０の中空空間７４が一端部から他端部に亘って貫通するものであるとして説明したが、これに限定されず、ユニット本体の一方の長辺部側に長手方向に沿って延びる長尺状の中空空間であれば良く、ユニット本体７０の一端部から他端部に亘って貫通するものでなくても良い。また、上述した実施形態では、ユニット本体７０の一方側の長辺部に中空空間７４が形成されるものであるとして説明したが、これに限定されず、中空空間は、幅方向の中心よりも一方の長辺部側に寄って形成されるものであれば良く、また、幅方向のスペースに余裕がある場合には、ユニット本体７０の長辺部の双方に形成されても良い。
【００４５】
また、上述した実施形態では、ユニット本体７０が押出成形によって成形された金属押出材であり、その全体がアルミニウム等の熱伝導性に優れた金属から形成されるものとして説明したが、これに限定されず、ユニット本体７０の少なくとも中空空間７４を形成する部位が、金属から形成されていれば良い。
【００４６】
さらに、上述した実施形態では、ユニット本体７０の下面部７１に、基板収容凹部７２ａ及びフランジ部７２ｂが形成され、これら基板収容凹部７２ａ及びフランジ部７２ｂによってＬＥＤ基板６０を装着させるための挿入溝７３が形成されるものとして説明したが、これに限定されず、ユニット本体７０の下面部７１にＬＥＤ基板６０を保持するための係止爪が形成されても良いし、ネジ等の固定手段によってユニット本体７０の下面部７１にＬＥＤ基板６０が固定されるとしても良い。また、上述した実施形態では、フランジ部７２ｂがユニット本体７０の長手方向の全域に亘って形成されるものとして説明したが、これに限定されず、フランジ部７２ｂは、ユニット本体７０の長手方向における適宜の位置に一又は複数形成されても良い。
【００４７】
またさらに、上述した実施形態では、一対のＶ字状係止バネ８０によってＬＥＤ光源ユニット５０を照明器具本体１０に取り付けるものとして説明したが、これに限定されず、照明器具本体１０に対するＬＥＤ光源ユニット５０の取り付け手段は、種々の公知の部材又は構造を採用することが可能である。
【００４８】
また、上述した実施形態では、照明器具本体が、ベース部材２０、反射板部材３０及び端部キャップ４０を備える逆富士型の器具であって、天井（設置箇所）に取り付けられるものであるとして説明したが、これに限定されず、ＬＥＤ光源ユニットを設置箇所に取り付けるための器具であれば、いかなる構成及び形状を備えていても良く、また、設置箇所に埋設されるものであっても良い。
【符号の説明】
【００４９】
１  照明器具、１０  照明器具本体、５０  ＬＥＤ光源ユニット、６０  ＬＥＤ基板、６２  ＬＥＤ、７０  ユニット本体、７４  中空空間、９０  電源装置
【図１】
0006577208.tif 000002
【図２】
0006577208.tif 000003
【図３】
0006577208.tif 000004
【図４】
0006577208.tif 000005
【図５】
0006577208.tif 000006
【図６】
0006577208.tif 000007
【図７】
0006577208.tif 000008